(57)【要約】      （修正有）【課題】複数の無線アクセス媒体を有する遠隔局が、優先的に無線ローカルエリアネットワーク（ＷＬＡＮ）サービスの検出と選択をするための効率的方法を提供する。【解決手段】ＭＳは、まず、携帯ページングインジケータのためにウェイクする（ステップ３５４）。ＭＳは、このウェイクイングを、第一のページングインジケータスロットとＷＬＡＮビーコンとのための共通の時間と一致するようにスケジュールするか、幾つかの基準を用いて、いつウェイクするかを決定する。ＭＳは、能動的なＷＬＡＮスキャニング又は受動的なＷＬＡＮスキャニングを実行するかを決定する（判定部３５６）。能動的なスキャンのために、ＭＳは、ＷＬＡＮビーコンのための要求を送り（ステップ３５８）、その後ＷＬＡＮビーコンのためのスキャンを続ける（ステップ３６０）。ＭＳは、次にスケジュールされたＷＬＡＮビーコン送信を待つ限り、拡張された電力消費を回避する。【選択図】図７
2011061823.tif 000002
【特許請求の範囲】
【請求項１】
無線ローカルエリアネットワークを識別する方法であって、
携帯ページングインジケータをスキャンすることと、
無線ローカルエリアネットワークビーコンをスキャンすることと、
前記無線ローカルエリアネットワークがアクセス可能であるかを判定することと、
前記無線ローカルエリアネットワークがアクセス可能であれば、前記無線ローカルエリアネットワークに登録することとを備える方法。
【請求項２】
請求項１に記載の方法において、前記無線ローカルエリアネットワークビーコンをスキャンすることは、
無線ローカルエリアネットワークビーコンを要求することと、
無線ローカルエリアネットワークビーコンをスキャンすることとを備える方法。
【請求項３】
請求項１に記載の方法において、前記無線ローカルエリアネットワークビーコン及び前記携帯ページングインジケータは、同期して送信される方法。
【請求項４】
請求項１に記載の方法において更に、
遠隔局が携帯ネットワークにおいてアクティブなパケットデータセッションを持っているのであれば、
前記無線ローカルエリアネットワークビーコンを検出し、
前記パケットデータセッションを待って、休止状態になり、
前記無線ローカルエリアネットワークへのパケットデータセッションハンドオーバを実行することを備える方法。
【請求項５】
請求項４に記載の方法において、パケットデータセッションハンドオーバを実行することは、
前記無線ローカルエリアネットワークビーコンの信号強度を閾値と比較することと、  前記無線ローカルエリアネットワークの信号強度が前記閾値よりも大きければ、前記無線ローカルエリアネットワークへのパケットデータセッションハンドオーバを実行することとを備える方法。
【請求項６】
請求項４に記載の方法において、パケットデータセッションハンドオーバを実行することは、
前記無線ローカルエリアネットワークを経由してモバイルインターネットプロトコル登録を実行することを備える方法。
【請求項７】
請求項１に記載の方法において更に、
遠隔局が電力節電モードにあるとき、前記遠隔局をウェイクして、携帯ページングインジケータをスキャンさせることを備える方法。
【請求項８】
請求項７に記載の方法において、前記無線ローカルエリアネットワークビーコンと前記携帯ページングインジケータとは同期している方法。
【請求項９】
請求項７に記載の方法において、前記無線ローカルエリアネットワークビーコンは第一の割り当てられた時間スロットを持っており、前記携帯ページングインジケータは第二の割り当てられた時間スロットを持っており、前記無線ローカルエリアネットワークビーコンをスキャンすることは、
前記第一及び第二の割り当てられた時間スロットの間の差に等しいタイマ期間を待つことと、
前記無線ローカルエリアネットワークビーコンをスキャンすることとを備える方法。
【請求項１０】
請求項１に記載の方法において更に、
第一のチューナによって前記携帯ページングインジケータをスキャンすることと、
第二のチューナによって前記無線ローカルエリアネットワークビーコンをスキャンすることとを備える方法。
【請求項１１】
請求項１に記載の方法において、前記無線ローカルエリアネットワークビーコンをスキャンすることは、
パケットデータセッションが携帯ネットワークでアクティブであれば、前記無線ローカルエリアネットワークビーコンをスキャンすることを禁止することと、
前記携帯ネットワーク内でアクティブなパケットデータセッションが無いのであれば、前記無線ローカルエリアネットワークビーコンをスキャンすることとを備える方法。
【請求項１２】
請求項１に記載の方法において、前記無線ローカルエリアネットワークビーコンをスキャンすることは、
前記携帯ネットワークから命令を受け取って、前記無線ローカルエリアネットワークビーコンをスキャンすることと、
前記無線ローカルエリアネットワークビーコンをスキャンすることとを備える方法。
【請求項１３】
請求項１に記載の方法において、前記無線ローカルエリアネットワークビーコンをスキャンすることは、
前記無線ローカルエリアネットワークビーコンをスキャンしている間、前記携帯ネットワークに対して、状態情報を保存するように要求することと、
前記無線ローカルエリアネットワークビーコンをスキャンすることとを備える方法。
【請求項１４】
方法であって、
携帯ネットワークを経由してパケットデータセッションを確立することと、
無線ローカルエリアネットワークビーコンをスキャンするための命令を受け取ることと、
前記命令に応答して前記無線ローカルエリアネットワークに登録することと、
前記携帯ネットワークからのパケットデータセッションをリリースするためにメッセージを送ることとを備える方法。
【請求項１５】
請求項１４に記載の方法において更に、
前記無線ローカルエリアネットワークから受け取った信号の信号強度を監視することと、
前記信号強度が閾値よりも下に下がった場合には、前記携帯ネットワークとのパケットデータセッションを再確立することとを備える方法。
【請求項１６】
無線ローカルエリアネットワークを識別する装置であって、
携帯ページングインジケータをスキャンする手段と、
無線ローカルエリアネットワークビーコンをスキャンする手段と、
前記無線ローカルエリアネットワークがアクセス可能かを判定する手段と、
前記無線ローカルエリアネットワークがアクセス可能であれば、前記無線ローカルエリアネットワークに登録することとを備える装置。
【請求項１７】
装置であって、
携帯ネットワークを経由してパケットデータセッションを確立する手段と、
命令を受け取って、無線ローカルエリアネットワークビーコンをスキャンする手段と、  前記命令に応答して前記無線ローカルエリアネットワークに登録する手段と、
前記携帯ネットワークからパケットデータセッションをリリースするためにメッセージを送る手段とを備える装置。
【発明の詳細な説明】
【技術分野】
【０００１】
本発明は、一般に、通信システムに関し、特に、携帯通信システム内の移動局による無線ローカルアクセスネットワーク（ＷＬＡＮ）の検出に関する。
【背景技術】
【０００２】
無線ローカルアクセスネットワーク（ＷＬＡＮ）は、例えばビルや、サイバーカフェの中など、ローカルな地理的エリア内の通信ネットワークへの無線アクセスを提供する。現在、ＷＬＡＮは、携帯システムの負荷を緩和し、能力を増大させることができるように、多くの携帯キャリアによって検討されている。更に、ユーザは、無線デバイスを通じた通信の受信及びデータレートを高めるために、ローカルなＷＬＡＮへのアクセスを望んでいる。ＷＬＡＮシステムを検出し、選択することに問題が存在する。システム検出の目的は、無線アクセス媒体（例えば、ｃｄｍａ２０００、ＷＬＡＮ等）の利用可能性を検出することである。システム選択の目的は、アプリケーションコンテンツを伝送するためのアクセス媒体を選択することである。システム選択は、アクセス媒体の利用可能性、優先度方針、アプリケーション状況、ユーザ介在等、又はこれらの組み合わせに基づきうる。
【０００３】
一般に、携帯システムは、未決定の通信がある場合には、ページングインジケータを定期的に送信して移動局をページする。同様に、ＷＬＡＮは、ＷＬＡＮによって送信されたビーコンによって広告される。ページングインジケータとビーコンとは共に、送信された信号をスキャンするために移動局を必要とする。しばしば移動局は、ＷＬＡＮの位置及びアクセス可能性についてほとんど情報を持っていないので、移動局は、かなりの電力を費やして定期的にＷＬＡＮをスキャンする。従って、システム検出及び選択の、効率的で、正確な方法に対するニーズがある。
【図面の簡単な説明】
【０００４】
【図１】図１は、システム検出及び選択のために適用された移動局である。
【図２Ａ】図２Ａは、携帯システム能力とＷＬＡＮアクセスとを含む通信構成である。
【図２Ｂ】図２Ｂは、ＷＬＡＮを広告するためのシグナリングメッセージを示す。
【図３Ａ】図３Ａは、図２Ａのようなシステム内の信号フローのタイミング図である。
【図３Ｂ】図３Ｂは、図２Ａのようなシステム内の信号フローのタイミング図である。
【図４】図４は、図２Ａのようなシステム内の信号フローのタイミング図である。
【図５Ａ】図５Ａは、ＷＬＡＮ検出に関連付けられたディスプレイフォーマットを持つ移動局である。
【図５Ｂ】図５Ｂは、システム検出及び選択のための方法のフロー図である。
【図６】図６は、ＷＬＡＮ及び携帯システムと通信する複数のチューナを備えた移動局のブロック図である。
【図７】図７は、システム検出のための方法のフロー図である。
【図８】図８は、無線携帯通信、無線ローカルエリアネットワーク通信、及びインターネット通信をサポートする通信システムである。
【図９】図９は、ＷＬＡＮ検出及び選択を説明するタイミング図である。
【図１０Ａ】図１０Ａは、ＷＬＡＮ検出及び選択を説明するタイミング図である。
【図１０Ｂ】図１０Ｂは、ＷＬＡＮ検出及び選択を説明するタイミング図である。
【図１０Ｃ】図１０Ｃは、ＷＬＡＮ検出及び選択を説明するタイミング図である。
【発明を実施するための形態】
【０００５】
用語「典型的」は、ここでは「例、インスタンス、又は例示として役立つ」ことを意味するために用いられる。ここで「典型的」と記載されたいかなる実施例も、他の実施例よりも好適であるとか、有利であるとか必ずしも解釈される必要は無い。
【０００６】
ここでアクセス端末（ＡＴ）と称されるＨＤＲ加入者局は、移動式又は固定式であり、ここでモデムプールトランシーバ（ＭＰＴ）と称される一つ又は複数のＨＤＲ基地局と通信する。アクセス端末は、一つ又は複数のモデムプールトランシーバを通じて、ここでモデムプールコントローラ（ＭＰＣ）と称されるＨＤＲ基地局コントローラとデータパケットを送受信する。モデムプールトランシーバと、モデムプールコントローラとは、アクセスネットワークと呼ばれるネットワークの一部である。アクセスネットワークは、複数のアクセス端末間でデータパケットを伝送する。アクセスネットワークは更に、例えば企業イントラネット又はインターネットのようなアクセスネットワークの外部の追加ネットワークに接続され、各アクセス端末とそのような外部ネットワークとの間にデータパケットを伝送する。一つ又は複数のモデムプールトランシーバと接続しているアクティブなトラフィックチャネルを確立したアクセス端末は、アクティブなアクセス端末と呼ばれ、トラフィック状態にあると言われる。一つ又は複数のモデムプールトランシーバとのアクティブなトラフィックチャネル接続を確立するプロセスにあるアクセス端末は、接続設定状態にあると言われる。アクセス端末は、無線チャネル、又は例えば光ファイバや同軸ケーブルを用いた有線チャネルを通じて通信する任意のデータデバイスでありうる。アクセス端末は更に、限定される訳ではないが、ＰＣカード、コンパクトフラッシュ（登録商標）、外部又は内部モデム、又は無線あるいは有線電話を含む多くの種類のデバイスのうちの何れかでありうる。アクセス端末がモデムプールトランシーバに信号を送るための通信リンクは、逆方向リンクと呼ばれる。モデムプールトランシーバがアクセス端末に信号を送るための通信リンクは、順方向リンクと呼ばれる。
【０００７】
図１は、一つの実施例に従うシステム検出及び選択のための要素及びインタフェースを示す。システム５０内では、ユーザ５２は、無線移動ユニットのユーザを表す。ここではユーザ５２は、アクセス媒体をマニュアルで選択するか、又は自動選択を実行することができる人間である。アプリケーション５４は、コンピュータ読取可能プログラム、又は伝送するためのアクセス媒体を必要とするプロトコルスタック（例えば、通信制御プロトコル（ＴＣＰ）／インターネットプロトコル（ＩＰ）スタック）である。アプリケーション５４は、インタフェースＣを経由してユーザ５２と通信する。ユーザアプリケーション５４はまた、インタフェースＢを経由して優先度データベース５６と、インタフェースＥを経由してセレクタ５８と通信する。
【０００８】
優先度データベース５６は、システム選択基準を格納する記憶デバイスである。システム選択基準は、ユーザ５２によってマニュアルで設定されるか、アプリケーション５４によって自動的に操作される。一つの実施例では、このシステム選択基準は、無線アクセスの利用可能性を考慮し、利用可能な場合にはＷＬＡＮを選択する。一つの例では、もしもシステム５０が現在、ｃｄｍａ２０００ネットワークのような携帯ネットワークを経由して通信しているのであれば、システム５０は、このような通信を続けるように命令されるが、ＷＬＡＮの利用可能性の検出を試みることを続けるようにも命令される。アプリケーション５４は、優先度データベース５６を自動的に設定できる。ユーザ５２は、マニュアルで優先度データベース５６を設定し、アプリケーション５４をイネーブル／ディセーブルする。
【０００９】
アクセス媒体検出器（ＡＭＤ：Access Medium Detector）６０は、無線アクセス媒体の利用可能性を検出し、この結果をセレクタ５８に報告する。セレクタ５８は、一つ又は複数のアクセス媒体検出器６０をイネーブル又はディセーブルすることと、この検出結果、システム選択基準、アプリケーション状態、及び／又はユーザ要求に基づいてアクセス媒体を選択することとを管轄する。セレクタ６０は、システム選択結果を、ユーザ５２及び／又はアプリケーション５４に通知する。セレクタ６０は、インタフェースＥを経由してアプリケーション５４と、インタフェースＦを経由して優先度データベース５６と、インタフェースＧを経由してＡＭＤ６０と通信する。セレクタ５８は更に、インタフェースＤを経由してユーザ５２と通信する。
【００１０】
インタフェースＡ。ユーザ５２は、マニュアルで、新たなシステム選択基準をロードし、優先度データベース５６内の既存のシステム選択基準を修正する。システム選択基準は、セレクタ５８が意思決定のために用いる規則である。例えば、もしもアプリケーションがアクティブ（すなわち、データを送受信中）であり、ＷＬＡＮアクセス媒体が利用可能であれば、このシステムは、データトラフィックを伝送するためにＷＬＡＮアクセス媒体を選択すべきである。ユーザは、ユーザグラフィックインタフェース（例えば、ウィンドウベースのプログラム）を経由してシステム選択基準を入力する。
【００１１】
インタフェースＢ。アプリケーション５４は、自動的に、新たなシステム選択基準をロードするか、又は優先度データベース５６内の既存のシステム選択基準を修正する。例えば、アプリケーション５４は、所定のアクセス媒体Ｘを使用するための優先度を持ち、この優先度は、アプリケーション５４がダウンロード又はインストールされたときに、優先度データベース５６内に自動的にロードされる。
【００１２】
インタフェースＣ。ユーザ５２は、アプリケーション５４をイネーブル又はディセーブルすることができる。ユーザ５２は、システム選択を設定するアプリケーション５４を設定できる。ユーザ５２は、例えばインタフェースＡを経由してアプリケーション５４のレベル優先度をマニュアルで制御することを決定したときには、優先度データベース５６との自動的な相互作用を禁止するようにアプリケーション５４を設定する。
【００１３】
インタフェースＤ。セレクタ５８は、ユーザに対して、アクセス媒体を選択するように促す。別のシナリオでは、そのような促しがなく、ユーザ５２は、具体的なアクセス媒体を要求する。ここでは、そのような要求は、他のシステム選択基準を無効にする。
【００１４】
インタフェースＥ。アプリケーション５４は、状態情報を提供して、システム選択におけるセレクタ５８を助ける。例えば、アプリケーション５４がイネーブルされたか、又はディセーブルされたかは、アクセス媒体検出器６０をイネーブル又はディセーブルするセレクタ５８決定に影響を与える。セレクタ５８は、アクセス媒体検出器からの表示、又は優先度データベースに格納されたシステム選択基準に基づいて、システム選択結果をアプリケーション５４に与える。例えば、もしもセレクタ５８が、より高い帯域幅を持つアクセス媒体を選択するならば、アプリケーション５４は、より良い品質を備えたコデックに切り換えることができる。別の例では、セレクタ５８は、システム検出結果をアクセス媒体検出器６０からアプリケーション５４に中継する。これによって、アプリケーション５４は、この結果をユーザ５２に表示することができる。
【００１５】
インタフェースＦ。セレクタ５８は、優先度データベース５６からシステム選択基準を取得する。もしも（例えば、ユーザ５２によって修正されて）システム選択基準に変化があると、セレクタ５８は、優先度データベース５６から新たな基準を取得する。セレクタは、例えば（１）ユーザ５２（又はアプリケーション５４）が、インタフェースＤ（又はＥ）を経由してセレクタ５８に情報を提供し、優先度データベース５６更新を示すか、又は（２）セレクタ５８が、定期的に優先度データベース５６の更新をチェックするような様々な方法によって、基準における変化を識別する。
【００１６】
インタフェースＧ。セレクタ５８は、ユーザ入力、アプリケーション状態、及び／又は優先度データベース５６からのシステム選択基準に基づいて、一つ又は複数のアクセス媒体検出器６０をイネーブル又はディセーブルする。アクセス媒体検出器６０は、この検出結果を、セレクタ５８に示す。
【００１７】
（ＭＳへのＷＬＡＮ情報のプロビジョニング）  
以下に示す議論は、移動局（ＭＳ）内のＷＬＡＮ情報のプロビジョニングと、シグナリングメッセージを経由した携帯ネットワークからのＷＬＡＮ広告に基づいて、不必要なＷＬＡＮスキャンを最小化するためにＭＳで実施される方法とを詳述する。ｃｄｍａ２０００プロトコルをサポートするネットワークは、以下に示す議論における例として提供される。本記載のコンテクストでは、プロビジョニングとは、ＷＬＡＮとの通信の確立に必要なＭＳへの設定情報、及びＷＬＡＮパラメータの通信を称する。
【００１８】
従来のプロビジョニング方法は、サービスプロバイダによって提供されたＷＬＡＮ受信地域をＭＳが検出するために、ＭＳに必要な情報（例えば、８０２．１１ａ／ｂ周波数、サービス識別子のリスト等）をマニュアルで設定する。拡張されたサービスセット識別子（ＥＳＳＩＤ：Extended Service Set Identifier）は、ＷＬＡＮオペレータネットワーク内の全てのアクセスポイント（ＡＰ）を識別するために使用される。異なるオペレータは、異なるＥＳＳＩＤを使用するであろう。従って、ＥＳＳＩＤのリストは、ＭＳによってアクセス可能なＷＬＡＮオペレータのリストに対応する。マニュアルプロビジョニングの代替は、オーバ・ザ・エアによるプロビジョニング（ＯＴＡＰ：Over-The-Air Provisioning）タイププロトコルを経由して、ＷＬＡＮ情報をＭＳにプロビジョンすることである。ＯＴＡＰの詳細は、ＷＬＡＮパラメータのプロビジョニングをサポートするために拡張することができるＩＳ−６８３規格に記載されている。別の代替は、１ｘシグナリングメッセージ（後述する）を経由して広告されたＷＬＡＮ情報をＭＳに自動的にプロビジョンすることである。後者の代替は、ＯＴＡＰよりもより動的である。
【００１９】
ＭＳが必要なＷＬＡＮ情報を一旦持つと、ＭＳは、ＷＬＡＮ受信地域をスキャンすべき時を決定する。一般に、ＷＬＡＮは、定期的なビーコンを送信する。これは、ＷＬＡＮを広告するために送信された信号である。ＭＳがビーコンを受信することができる時、ＭＳはＷＬＡＮにアクセスすることができる。ユーザ５２は、ＷＬＡＮスキャンをイネーブル又はディセーブルすることができるが、この処理は、ユーザによって要求されるマニュアル操作であるのでユーザフレンドリではない。自動化された操作は選択されうる。これは、ユーザに気付かれることなくなされる。一つの実施例によれば、ユーザ５２に気付かれることのないスキャン方法は、ＭＳが定期的にスキャンすることを備える。ＭＳがＷＬＡＮ受信地域エリアにない時には、スキャニングがバッテリ電力を消耗するので、定期的なスキャンは、高価である。
【００２０】
もしもｃｄｍａ２０００のような携帯システムが、ＷＬＡＮサービスも提供するか、又はその他のＷＬＡＮ操作とのローミング合意を持っているのであれば、ＭＳがＷＬＡＮ受信地域を効率的にスキャンすることを容易にするために、幾つかのオプションが、携帯ネットワークのために実施され、携帯シグナリングメッセージを経由してＷＬＡＮ情報を広告する。代替実施例は、その他の携帯システムを実施する。
【００２１】
（シグナリングメッセージを経由したＷＬＡＮ広告）  
第一の実施例では、基地局コントローラ（ＢＳＣ）と基地トランシーバシステム（ＢＴＳ）とは、携帯セクタ内のＷＬＡＮ受信地域の知識を用いて設定される。携帯サービスプロバイダがＷＬＡＮサービスも提供する時、ＷＬＡＮ情報は、携帯システムに利用可能である。ＷＬＡＮ受信地域がセルセクタ内にある場合、ＢＴＳは、ＷＬＡＮプロビジョニング情報（例えば、８０２．１１ａ／ｂ周波数、ＥＳＳＩＤ、好適にはローミングリスト等）を、共通チャネルを経由してオーバヘッドメッセージとして定期的にブロードキャストする。ＭＳは、ＷＬＡＮプロビジョニング情報を受信し、この情報を使って、ＷＬＡＮをスキャンする。ＷＬＡＮプロビジョニング情報は、既存のオーバヘッドメッセージ内に含まれる。あるいは、ＷＬＡＮプロビジョニング情報は、ＷＬＡＮプロビジョニングのために特別に定義されたシグナリングメッセージ内に提供される。
【００２２】
図２Ａは、携帯通信ネットワークのセル内のセクタを示す。セルは、セクタＡ  １０２、セクタＢ  １０４、及びセクタＣ  １０６を含む。セル内には複数のＷＬＡＮがある。これは、ＷＬＡＮ＃１  １２０と、ＷＬＡＮ＃２  １３０とを含む。ＷＬＡＮ＃１  １２０は、ＥＳＳＩＤ（１）によって識別される。ＷＬＡＮ＃２  １３０は、ＥＳＳＩＤ（２）によって識別される。図示するように、ＷＬＡＮ＃２  １３０は、セクタＢ  １０４内に含まれる一方、ＷＬＡＮ＃１  １２０は、セクタＢ  １０４内の部分と、セクタＡ  １０２内の部分とを含む。
【００２３】
好適なローミングリストは、ＥＳＳＩＤのリストである。これらの各々は、携帯システムとのローミング合意を持つＷＬＡＮプロバイダに対応している。ブロードキャストされたシグナリングメッセージは、携帯システムプロビジョニングによってトリガされうる。すなわち、携帯システムは、ＷＬＡＮ能力を備えたＭＳがあろうとなかろうとメッセージを常にブロードキャストする。携帯システムは、ＷＬＡＮを広告することができるように、ＷＬＡＮプロビジョニング情報を連続的に送信する。あるいは、ＷＬＡＮプロビジョニング情報が、シグナリングメッセージを経由して送信される。ここではシグナリングメッセージは、少なくとも一つの登録メッセージの受信に基づいてトリガされ、この登録メッセージは、ＷＬＡＮ能力を備えたＭＳを示す。そのようなＷＬＡＮ能力表示は、登録メッセージ内の１ビットフラグであるかもしれない。シグナリングをトリガした登録の一つの利点は、ＢＴＳが、不必要なＷＬＡＮプロビジョニング情報をブロードキャストすることを回避することであることに留意されたい。
【００２４】
ＭＳからのＷＬＡＮ要求を受信すると、ＢＳは、様々な方法でＷＬＡＮ広告を送信する。ＢＳは、共通チャネル上でＷＬＡＮ広告を送信する。ここでは、複数のユーザが情報にアクセスすることができる。ＢＳは、シグナリングメッセージを使ってＭＳに直接的に情報を送信する。ＢＳは、例えばＷＬＡＮのための位置識別のような具体的な情報のみを送信する。
【００２５】
オーバヘッドシグナリングメッセージ内のＷＬＡＮプロビジョニング情報を受信すると、セルセクタ内のＷＬＡＮ受信地域は、首尾一貫していないかもしれないので、ＭＳは、ＡＰを検出するという保証を持たない。ＷＬＡＮ受信地域の能力は、例えばショッピングセンタ、スタジアム等の人口の非常に多いエリアにおいて増大する。携帯システムは、人口の多いエリアにおける能力を増大したいと望み、ＷＬＡＮは、そのようなエリアにおける能力を増大する手段を提供する。従って、携帯システムは、人口の多いエリアでＷＬＡＮを実施する。一方、能力は一般に人口の少ないエリアでは問題にならないので、ＷＬＡＮ受信地域は田舎のエリアでは期待されない。
【００２６】
セル１００内では、セクタＢをサポートするＢＳ（図示せず）は、ＢＳが知っているＷＬＡＮの識別子を送信する。例えば、もしもネットワークがＷＬＡＮ＃１  １２０との関連を持っているならば、セクタＢ  １０４内のＢＳは、ＷＬＡＮ＃１  １２９の広告を送信する。ここで、この広告は、ＥＳＳＩＤ（１）を提供する。このように、ＭＳ（図示せず）が広告を受信するとき、ＭＳは、ＥＳＳＩＤ（１）に基づいてＷＬＡＮ＃１  １２９をスキャンする。同様に、セクタＡ  １０２のＢＳは、ＷＬＡＮ＃１  １２０も広告できるであろう。更に、もしもセルネットワークがＷＬＡＮ＃２  １３０との関連を持っているならば、セクタＢ  １０４のＢＳは、ＥＳＳＩＤ（２）を提供するＷＬＡＮ＃２  １３０のための広告も行うであろう。
【００２７】
図２Ｂは、シグナリングメッセージの２つの実施例を説明する。第一の実施例では、システムパラメータメッセージは、システムパラメータ情報１１２と、ＷＬＡＮ広告フィールド１１６とを含む。ＷＬＡＮ広告フィールド１１６は、１ビットかもしれない。ここでは、一つの極性が、ＷＬＡＮ利用可能性を示し、その逆の極性が、利用可能でないことを示す。ＷＬＡＮ広告１１６は、例えば、位置情報、又はＷＬＡＮ情報にアクセスすることに関するＭＳへの命令のような更なる情報を提供する複数のビットフィールドでありうる。第二の実施例では、システムパラメータメッセージが、システムパラメータ情報１４０、ＷＬＡＮ広告１４２、及び位置情報又はグローバルポジショニングシステム（ＧＰＳ）１４４を含む。
【００２８】
別の実施例では、ＷＬＡＮプロビジョニング／広告情報は、共通チャネルによってオーバヘッドメッセージで定期的にブロードキャストされない。ＭＳが、所定のセルセクタのためのＷＬＡＮプロビジョニング／広告情報を受信したいとき、ＭＳは、例えば、ｃｄｍａ２０００登録メッセージのような携帯シグナリングメッセージを使って、ＢＳＣからＷＬＡＮプロビジョニング／広告情報を要求する。あるいは、ＭＳは、特定のＷＬＡＮ要求メッセージを使用することができる。それに対して、ＢＳＣは、ＷＬＡＮプロビジョニング／広告情報を要求に応じて提供する。もしもＭＳがトラフィックチャネルを持っていなければ、ＢＳＣが共通チャネルによってＭＳに返信を送る。この返信は、指定されたセルセクタ内の利用可能なＷＬＡＮ受信地域を識別する。このセクタは、例えば、ｃｄｍａ２０００で使用されているＢａｓｅ＿ＩＤのような識別子によって識別される。セクタ内にＷＬＡＮ受信地域がある場合には、ＢＳＣからの返信は、ＭＳがＷＬＡＮ受信地域をスキャンすることができるように、必要なＷＬＡＮプロビジョニング／広告情報も含んでいる。
【００２９】
（例えば、複数のＭＳがＷＬＡＮプロビジョニング／広告情報を要求する場合のように）過剰なシグナリングトラフィックを回避するために、ＢＳＣは、共通チャネルを経由して返信（すなわち、ＷＬＡＮプロビジョニング／広告情報）を送信する。ＷＬＡＮ情報は、冗長に提供されうる。一つの実施例では、ＷＬＡＮプロビジョニング／広告情報を求めるＭＳからの要求を受信すると、ＢＳＣは、予め定めた時間期間、ＷＬＡＮプロビジョニング／広告情報を送信する。共通チャネル上でのこのような情報のプロビジョンは、他のＭＳが、最も近い時間に同じ情報を要求したときに招かれる過剰なシグナリングメッセージを回避する。
【００３０】
ＭＳは携帯ネットワークからＷＬＡＮ位置情報を受信する。ここで、ＷＬＡＮ位置情報は、ＷＬＡＮをサポートするＡＰを識別する。この位置情報は、ＡＰの緯度及び経度識別子であるかもしれない。ＭＳはＷＬＡＮ位置情報を受信し、このＷＬＡＮ位置情報をＭＳにおいて表示する。ディスプレイは、ＭＳに記憶されているローカルな地図のコンテクストにおけるＡＰ位置を提供する。ディスプレイは、図５Ａに示す如くであるかもしれない。ここでは、移動無線デバイス２００が、キーパッド２０４及びディスプレイ２０２を含む。ディスプレイは、グラフィカルな手法で、ＷＬＡＮ  ＡＰの位置を識別する。ディスプレイは、テキストによるメッセージであるかもしれない。
【００３１】
ＭＳが、ＷＬＡＮをサポートしているＡＰの位置情報を取得するには幾つかの方法がある。一つの実施例では、ＭＳが、上述したように、共通チャネル又は専用チャネルを経由して、シグナリングオーバヘッドメッセージからＡＰの位置情報を取得する。別の実施例では、ユーザが、ＭＳに対して、アプリケーションサーバからＡＰの位置情報を要求するように命令する。この場合、サーバは、オペレータネットワークのバックエンド内にあるかもしれない。従って、ＭＳは、より高次のプロトコル（例えばＩＰ）を用いてサーバと通信し、ＡＰの位置情報を取得する。
【００３２】
一つの実施例では、図５Ｂに示すように、方法２５０が、マニュアルＷＬＡＮ選択の方法を提供する。ステップ２５２では、ユーザが、無線デバイス上でのＷＬＡＮ位置を識別するための地図表示機能を選択する。ステップ２５４では、範囲内でＷＬＡＮが識別される。判定部２５６では、もしも自動化されたスキャンが可能であれば、処理は、デバイスがＷＬＡＮをスキャンするステップ２５８に続く。そうでなければ、処理は、ユーザがＷＬＡＮをスキャンするステップ２６０に続く。もしもＷＬＡＮが判定部２６２でアクセス可能であれば、無線デバイスは、ステップ２６４で、ＷＬＡＮ登録要求を送る。そうでなければ、処理は、ステップ２５４に戻り、範囲内で識別されたＷＬＡＮを待つ。
【００３３】
図３ＡはＷＬＡＮの検出のためのタイミング図である。ここでは、ＭＳが、具体的なＷＬＡＮクエリ、又はＷＬＡＮ情報に対する要求をＢＳに送る。それに応答して、例えば、共通チャネルＷＬＡＮ広告を経由して、ＢＳがＷＬＡＮ情報をＭＳに送信する。ＷＬＡＮが利用可能な場合、ＭＳは、ＢＳによって提供されたＷＬＡＮ情報に従ってＷＬＡＮをスキャンし、通信を確立するためにＷＬＡＮに対して登録要求を送る。
【００３４】
図３Ｂは、ＷＬＡＮの検出のためのタイミング図である。ここでは、ＭＳがＢＳ（すなわち、携帯ネットワーク）に対して登録要求を送る。この登録要求は、ＷＬＡＮ情報に対する具体的な要求を含むかもしれない。あるいは、この登録要求は、具体的にＷＬＡＮ情報を要求しないが、ＢＳに対してＷＬＡＮ情報を提供するように促すかもしれない。この登録要求に応答して、ＢＳはＷＬＡＮ情報をＭＳに提供する。ＷＬＡＮが利用可能なとき、ＭＳは、ＢＳによって提供されたＷＬＡＮ情報に従ってＷＬＡＮをスキャンし、通信を確立するためにＷＬＡＮに対して登録要求を送る。
【００３５】
図４は、ＷＬＡＮの検出のためのタイミング図である。ここでは、ＭＳがＢＳ（すなわち、携帯ネットワーク）に対して登録要求を送る。この登録要求は、ＷＬＡＮ情報を求める具体的な要求を含むかもしれない。あるいは、この登録要求は、具体的にＷＬＡＮ情報を要求しないが、ＢＳに対してＷＬＡＮ情報を提供するように促すかもしれない。この登録要求に応じて、ＢＳは共通チャネル上でＷＬＡＮ情報をブロードキャストする。ＷＬＡＮが利用可能なとき、ＭＳは、ＢＳによって提供されたＷＬＡＮ情報に従ってＷＬＡＮをスキャンし、通信を確立するためにＷＬＡＮに対して登録要求を送る。
【００３６】
（一つのチューナを備えたＭＳ）  
移動局（ＭＳ）が通信のための一つのチューナを持っている場合。そのようなデバイスでは、単一のチューナが、携帯システムとＷＬＡＮシステムとの両方と通信するために使用される。ＭＳはＷＬＡＮ受信地域を検出し、ＷＬＡＮシステムと携帯システムとの間のシステム選択を実施する。ここではＭＳは、所定の時間において、一つのシステム（ＷＬＡＮ又は携帯）にのみ調節する。
【００３７】
ＭＳは、以下に示すシナリオで、システム検出と選択とを実施する。（１）ＭＳは、専用チャネルを持たない携帯ネットワークに関してアイドル（通信がアクティブではない）であり、ＷＬＡＮのスキャンを望む。（２）ＭＳは、専用チャネルを持つ携帯ネットワークを備えたアクティブなパケットデータセッションを持っており、ＷＬＡＮのスキャンを望む。（３）ＭＳがＷＬＡＮに調節され、携帯ページの受信を望む。（４）ＭＳがＷＬＡＮに調節されるが、信号強度が低い。
【００３８】
上述したシナリオ（１）において、もしもＭＳが携帯ネットワークにおいてアイドル（すなわち、専用チャネルがない）であれば、ＭＳは、例えば、ユーザ命令、予め設定した優先度、携帯ネットワークから受信したようなＷＬＡＮ利用可能広告等の一つ又は複数の要因に基づいてＷＬＡＮ受信地域をスキャンすると決定する。それぞれが割り当てられたページングスロット間隔の間、ＭＳは携帯ネットワークに調節する。このようにしてＭＳは、携帯ネットワークからあらゆるページインジケータを受信することができる。ＭＳが一旦携帯ページインジケータを監視すると、ＭＳはＷＬＡＮ周波数に調節し、ＷＬＡＮ受信地域を検出するために、受動的又は能動的なスキャンを使用する。
【００３９】
上述したシナリオ（２）では、ＭＳは、携帯ネットワーク内にアクティブなパケットデータセッションを持つ（すなわち、専用チャネルを備えている）。携帯ネットワークにおけるアクティブなデータセッションの間、ＭＳは、ＷＬＡＮをスキャンするように選択しないかもしれない。この場合、ＭＳが携帯ネットワーク内でアクティブである間、たとえＷＬＡＮにアクセスできても、ＭＳはＷＬＡＮに切り換えない。ＭＳは、高速ＷＬＡＮアクセスの利点を利用できないが、ＭＳは、サービス中断を経験しない。ＭＳが携帯ネットワーク内でアイドルになった後、ＭＳは携帯ネットワークから離れて、ＷＬＡＮをスキャンする。
【００４０】
あるいは、携帯ネットワークは、ＭＳに対して、ＷＬＡＮ受信地域をスキャンするように命令する。この場合、携帯ネットワークは、ＭＳに対して、ＷＬＡＮ受信地域をスキャンするように指示する。もしもＷＬＡＮ受信地域があれば、ネットワークは、ＭＳに対して、パケットデータセッションをＷＬＡＮにハンドオーバするように命令する。この手順は、ネットワークが過負荷の場合であるか、あるいはＭＳが低い電力強度を持つ場合に有益である。この手順は以下のように記載されており、ｃｄｍａ２０００をサポートするシステムにおける候補周波数サーチ手順に類似している。
【００４１】
ＭＳは、オーバ・ザ・エア登録を経由して、携帯ネットワークへ、あらゆるＷＬＡＮ利用可能性を示す。もしもＭＳが、ＷＬＡＮホットスポットを持つセルセクタ内にあれば、このネットワークは、シグナリングメッセージを送り、ＷＬＡＮ受信地域をスキャンするようにＭＳに要求する。このシグナリング要求メッセージは、ＷＬＡＮ情報（例えば、周波数、ＥＳＳＩＤ等）を含み、ＭＳの専用チャネルによって送られる。ＭＳは、ＷＬＡＮ周波数に調節し、能動的又は受動的に、ＷＬＡＮビーコンをスキャンする。そして、ＭＳは以下の動作を持つことができる。（１）もしもＭＳがＷＬＡＮ受信地域を検出すると、ＭＳは携帯ネットワークに調節を戻し、ＷＬＡＮサーチ結果を通知する。そして、携帯ネットワークは、シグナリングメッセージを送り、ＭＳに対して、ＷＬＡＮにハンドオフするように指示する。ＭＳがＷＬＡＮに調節し、アクセス認証と、更にオプションとして、モバイルＩＰ登録とを実行して、パケットデータセッションをＷＬＡＮにハンドオーバする。もしもアクセス認証又はモバイルＩＰ登録が失敗すると、ＭＳは携帯ネットワークに再び調節し、パケットデータサービスオプションを開始する。
【００４２】
（２）もしもＭＳがＷＬＡＮ受信地域を検出すると、ＭＳは、携帯ネットワークに戻らずに、ＷＬＡＮサーチ結果を通知する。その代わり、ＭＳは、ＷＬＡＮアクセス認証と、オプションとしてモバイルＩＰ登録との実行を続け、パケットデータセッションをＷＬＡＮにハンドオーバする。この場合、タイムアウト後に、携帯ネットワークがシグナリング応答メッセージを受信しなければ、このネットワークは、ＭＳが携帯システムを離れたと仮定し、ＭＳのパケットデータセッションを削除する。
【００４３】
（３）もしもＭＳがＷＬＡＮ受信地域を検出することに失敗すると、ＭＳは、携帯ネットワークに再調節し、シグナリング応答メッセージを送り、ＷＬＡＮサーチ結果について携帯ネットワークに通知する。そして、このネットワークは、ＭＳのパケットデータセッションのアクティブな状態を復元する。
【００４４】
上に与えたようなシナリオ（２）を続けることによって更に、ＭＳは、携帯ネットワークに対して、ＭＳの状態情報を保存するように要求する。一方、ＭＳは調節から離れて、ＷＬＡＮ受信地域をスキャンする。この場合、ＷＬＡＮ受信地域のスキャンの間、ＭＳは、状態情報を保存するように携帯ネットワークに対して要求する。ＭＳは、（ＣＤＭＡオフタイム報告メッセージに類似した）シグナリング要求メッセージを１ｘネットワークに送る。もしもＷＬＡＮホットスポットを持つセルセクタ内にＭＳがあるのであれば、ネットワークは、ＭＳがＷＬＡＮ受信地域をスキャンするために必要なＷＬＡＮ情報を含むシグナリング応答メッセージを送る。もしもＭＳがＷＬＡＮ受信地域を検出し、アクセスのために認証されれば、ＭＳは、モバイルＩＰ登録を進め、ＷＬＡＮを経由してパケットデータセッションをハンドオーバする。もしもＭＳがＷＬＡＮ受信地域を検出することに失敗したか、又はＷＬＡＮアクセス認証に失敗したのであれば、ＭＳは携帯ネットワークに再調節し、シグナリングメッセージを送ることにより、ＭＳのパケットデータセッションのアクティブな状態を復元するように携帯ネットワークに対して要求する。もしも指定されたタイマが満了した後に、携帯ネットワークがシグナリング要求メッセージを受信しなかったのであれば、ＭＳが携帯システムを出たものとネットワークが仮定し、ＭＳのパケットデータセッションを削除する。
【００４５】
シナリオ（３）によると、ＭＳは現在、ＷＬＡＮに調節される。もしもＭＳがＷＬＡＮによってフレームを送受信していなければ、ＭＳは定期的に携帯ネットワークに調節を戻し、クイックページングチャネル上のページングインジケータを監視する。もしもページングインジケータが「O」であるならば、ＭＳのためのページは存在せず、ＭＳは直ちにＷＬＡＮ周波数に調節を戻す。この場合、ＭＳが携帯周波数上で費やした時間は最小（ミリ秒のオーダ）である。もしもページングインジケータが「１」であれば、ＭＳはそのページングスロットのためのページングチャネルを監視する。ｃｄｍａ２０００タイプネットワークでは、ページングインジケータは、ＭＳのページングスロットの最大１００ミリ秒前に起こる。ページングスロットは８０ミリ秒である。「１」であるページングインジケータは、このページがＭＳのためであることを保証しない。なぜなら、第二のＭＳの国際移動電話加入者識別番号（ＩＭＳＩ）は、第一のＭＳと同じページングインジケータに、一致するようにハッシュされるからである。従って、ＭＳは、ページングチャネル上で最大１８０ミリ秒を無料で使うことができる。もしもこのページがＭＳのためであれば、ページング応答をもって応答し、到来する回路切り換えされた音声コールを受信するために携帯ネットワークにいるであろう。
【００４６】
ＭＳが携帯ネットワークページングを監視するようにスケジュールされた時において、もしもＭＳがＷＬＡＮによってフレームを送信又は受信している間にあるのであれば、ＭＳは、データ配信と競合するためにＷＬＡＮ内にとどまり、ページングをスキップすべきである。潜在的に、ＭＳはページを見失うこともあり、到来する回路交換された音声コールのコール設定時間が長くなる。もしもＭＳが、到来する回路交換された音声コールのためのページを受信すれば、ＭＳは以下のように応答する。１．ページを受信すると、ＭＳは、携帯ネットワークへの調節を維持し、ページング応答を送り、コールを受け付ける。音声コールの後、ＭＳは、ＷＬＡＮに調節し、（もしもＭＳがまだＷＬＡＮ受信地域を持っているのであれば）パケットデータセッションを続ける。２．ページを受信すると、ＭＳが直ちにＷＬＡＮへ調節を戻し、分裂メッセージをＡＰに送る。そして、ＭＳは、携帯ネットワークに切り換え、ページング応答を送り、このコールを受け付ける。この音声コールの後、ＭＳは、携帯ネットワーク又はＷＬＡＮの何れかによって、新たなパケットデータセッションを開始する必要がある。
【００４７】
シナリオ（４）によると、ＭＳがＷＬＡＮに調節されているが、許容できる閾値の下に信号強度が下がったことを検出すると、ＭＳは携帯ネットワークへ調整し、パケットデータセッションを携帯ネットワークへハンドオーバするように処理する。
【００４８】
図１０Ａは、シナリオ（２）の一例を示している。ここでは、ＭＳ７０２は現在、セルネットワーク７０６とのパケットデータセッションを持っている。ＭＳ７０２は、セルネットワーク７０６からのＷＬＡＮ命令メッセージをスキャンする。ＭＳにプロビジョンするＷＬＡＮ命令メッセージを用いて、ＭＳはＷＬＡＮ受信地域をスキャンする。ＷＬＡＮを検出すると、ＭＳ７０２は、その結果をセルネットワークに通知する。図示しているように、ＭＳ７０２は、ＷＬＡＮ（ＡＰ７０４）を検出し、それに応答して、スキャン結果の通知を携帯ネットワークに送る。この携帯ネットワークは、その後、ＭＳ７０２に対して、ＷＬＡＮに切り換えるように命令する。携帯ネットワーク７０６からＷＬＡＮへの切り換えの決定は、ネットワークの負荷、ユーザの帯域幅、データ要求等に基づく。一旦、携帯ネットワーク７０６がＭＳ７０２に対して、切り換えるように命令すると、携帯ネットワーク７０６は、このデータセッションを削除する。その後、ＭＳ７０２は、ＡＰ７０４との認証を開始する。もしもこの認証が失敗すると、ＭＳは、携帯ネットワークとともに再確立する必要があることに留意されたい。
【００４９】
図１０Ｂは、シナリオ（２）の別の例を示す。ここでは、ＭＳ７０２は、セルネットワーク７０６とのパケットデータセッションを持っている。ＭＳ７０２は、セルネットワーク７０６からのＷＬＡＮ命令メッセージをスキャンする。ＭＳをプロビジョンするＷＬＡＮ命令メッセージを用いて、ＭＳはＷＬＡＮ受信地域をスキャンする。ＷＬＡＮの検出を行うと、ＭＳ７０２は、セルネットワークにその結果を通知する。図示するように、ＭＳ７０２は、ＷＬＡＮ（ＡＰ７０４）を検出し、それに応答して、ＡＰ７０４を用いて認証を開始する。そして、携帯ネットワーク７０６は、タイマをスタートさせ、タイムアウト期間が満了すると、携帯ネットワーク７０６はこのデータセッションを削除する。
【００５０】
図１０Ｃは、また別の例を説明する。ここではＭＳ７０２がセルネットワーク７０６とのパケットデータセッションを持っている。ＭＳ７０２は、セルネットワーク７０６からのＷＬＡＮ命令メッセージをスキャンする。ＭＳをプロビジョンするＷＬＡＮ命令メッセージを用いて、ＭＳはＷＬＡＮ受信地域をスキャンする。ＷＬＡＮが全く検出されない場合には、ＭＳ７０２は、携帯ネットワーク７０６にサーチ結果を送る。ＭＳ７０２は、携帯ネットワーク７０６とのデータセッションを続ける。
【００５１】
（２つのチューナ）  
以下の例では、移動局（ＭＳ）は、携帯周波数とＷＬＡＮ周波数とに同時に調節することができる２つのチューナを持っている。図６には、メモリに格納されたＥＳＳＩＤリスト３０２と、第一のチューナであるチューナＡ  ３０４と、第二のチューナであるチューナＢ  ３０６とを持つＭＳ３００が示されている。チューナＡは、ＷＬＡＮとの通信のために設定される。チューナＢは、無線携帯ネットワークとの通信のために設定される。図示するように、ＭＳ３００がアクセシングＡＰ３２０の範囲内にあるとき、チューナＡ  ３０４は、ＡＰ３２０によって送信されるＷＬＡＮビーコンをスキャンする。ＷＬＡＮビーコンは、定期的に送信され、ＡＰ３２０によってサポートされているＷＬＡＮを識別する。チューナＢ  ３０６は、基地局トランシーバシステム（ＢＴＳ）３２２によって送信された携帯ネットワークからページングインジケータをスキャンする。このようにして、ＭＳ３００は、携帯ページをスキャンしながら、ＷＬＡＮ受信地域をもスキャンする。従って、ＭＳ３００は、ＷＬＡＮ受信地域を検出し、各アクセス媒体について一つのチューナを用いて、ＷＬＡＮと携帯システムとの間でシステム選択を実施する。
【００５２】
ＭＳ３００は、様々な物理設定のうちの何れかを実施する。例えば、「タイプＡ」装置は、ビルトインされたＷＬＡＮチューナと携帯ネットワークチューナ、又はスロットインタイプのＷＬＡＮチューナカードと携帯チューナカード（例えば、ＣＤＭＡ２０００カード）を備えた単一のハンドヘルド装置（例えば、電話機、パーソナルデジタルアシスタント（ＰＤＡ））である。更に、「タイプＢ」装置は、ＷＬＡＮチューナカードを備え、例えばパーソナルコンピュータのようなラップトップ計算装置である。ここでラップトップ計算装置は、ｃｄｍａ２０００通信をサポートするハンドセットのような携帯ハンドセットに接続されている。
【００５３】
タイプＡ装置の場合、ＭＳ３００は、ＷＬＡＮプロトコルと携帯ネットワークプロトコルとの両方をサポートする単一の物理装置（例えばハンドセット、ＰＤＡ）である。ＭＳ３００は、２つの無線周波数（ＲＦ）チューナ、すなわち、携帯ネットワークのための第一のチューナと、ＷＬＡＮのための第二のチューナとを持っている。図６に戻って示すように、ＷＬＡＮビーコンとページインジケータとは、必ずしも同じ時間又は同じ周期で送信される必要は無いことに注意されたい。ＭＳ３００は、第一の周期を持つサイクルにわたって、チューナＡ  ３０４を用いてＷＬＡＮビーコンをスキャンする。ＭＳ３００は、第二の周期を持つサイクルにわたって、携帯ネットワークのページインジケータをスキャンする。一般に、第二の周期は、第一の周期よりも短い。言い換えると、ページインジケータは、ＷＬＡＮビーコンよりもより頻繁に生成される。
【００５４】
電力節約は、システム検出及び選択において重要な設計基準である。モバイル装置における電力の節約は、バッテリを充電する間の装置の動作時間を延ばすために、非常に高く望まれる。もしもＭＳ３０３がＷＬＡＮ受信地域をスキャンすると決めた場合には、携帯ページングを監視している間、スキャン期間における電力消費を最小にすることが望ましい。
【００５５】
ＭＳ３００は、例えば、ユーザ命令、予め設定した優先度、アプリケーション状態（例えば、実行中のパケットデータセッション）、携帯ネットワークから受信したＷＬＡＮ利用可能広告等の一つ又は複数の要因に基づいてＷＬＡＮ受信地域をスキャンすると決定する。ここで「８０２．１１」と称されるＩＥＥＥ  ８０２．１１によって定義されたＷＬＡＮプロトコルによって、ＭＳ３００は、ＷＬＡＮ受信地域を受動的又は能動的にスキャンすることが可能となる。受動的なスキャンでは、ＭＳ３００は、ＷＬＡＮ周波数でＡＰ３２０によって送られたＷＬＡＮビーコンを聞く。ＷＬＡＮビーコンは、ＡＰ３２０のＥＳＳＩＤを含んでいる。これは、ＥＳＳＩＤ（ＡＰ３２０）と称される。ＥＳＳＩＤ（ＡＰ３２０）が、ＭＳ３００  ＥＳＩＤリスト３０２に格納されたＥＳＳＩＤと一致するのであれば、ＭＳ３００がＷＬＡＮ受信地域を検出し、その受信地域がＭＳ３００サービスプロバイダによって提供されているという徴候である。能動的なスキャンでは、ＭＳ３００は、ＭＳ３００のＥＳＳＩＤを含むプローブ要求を送信する。ＡＰ３２０がプローブ要求を受信し、ＭＳ３００のＥＳＳＩＤがＡＰ３２０のＥＳＳＩＤと一致するのであれば、ＡＰ３２０は、プローブ応答をＭＳ３００に送信する。ＭＳが複数のＥＳＳＩＤのリストを持っているならば、ＭＳは最も高い優先度を持っているＥＳＳＩＤを含むプローブ要求を送る。ＥＳＳＩＤ優先度は、（上述した）優先度データベース内に、システム選択パラメータとして格納される。
【００５６】
電力を節約するために、ＭＳ３００に対するスリープモードを最大にすることが望ましい。言い換えれば、ＭＳ３００が、減少した電力を用いている、すなわちスリープモードにある時間を最大にすることが望ましい。更に、このような最大化の結果として、ＭＳアウェイク時間、すなわちフル電力動作を最小にすることが望ましい。従って、例えば、ページ又はＷＬＡＮビーコンの確認のために、ＭＳ３００が周期的にウェイクするときには、ＭＳ３００は、携帯ページインジケータの監視のみならず、いかなるＷＬＡＮビーコンをも同時にスキャンすべきである。ページングサイクルとビーコンサイクルとが同期しないのであれば、ＭＳ３００は、ページングサイクルに従ってウェイクアップし、ページングインジケータを監視する。このシナリオでは、ＭＳ３００がウェイクすると、ＭＳ３００は、能動的なスキャンを用いて、ＷＬＡＮビーコンをスキャンする。ページングサイクルとビーコンサイクルとが同期するのであれば、ＭＳはページングインジケータを監視するために定期的にウェイクアップし、受動的にいずれかのＷＬＡＮビーコンを聞く。同期ページングとビーコンサイクルは、受動的なスキャニングの使用により、より電力効率の良い動作を提供する。しかしながら、そのような同期は、ＡＰ３２０クロックが、携帯ネットワークタイミングと同期している必要がある。
【００５７】
ページングサイクルとＷＬＡＮビーコンサイクルとの同期のための一つの方法は、クイックページングチャネル内の第一のページングインジケータと同時に到着するようにＷＬＡＮビーコンをスケジュールすることである。この方法によると、スケジュールされたＷＬＡＮビーコン到着時間の直前にウェイクするように各ＭＳがスケジュールされる。潜在的な衝突によって、ＷＬＡＮビーコンは、スケジュールされた時間に送られないかもしれず、所定のＷＬＡＮビーコンが、スケジュールされた時間、又は予想された時間に到着するという保証はない。ＷＬＡＮビーコンは、データのフレームとして送信され、共有された媒体に別の送信としてアクセスするための同じ規則に適合している。ＷＬＡＮビーコンを受信した後、ページングインジケータをスキャンするために、いくつかのＭＳは、少し長くアウェイクにとどまる必要がある。また、この方法は、携帯ネットワークページングインジケータと、ＷＬＡＮビーコンを生成するためのクロックの同期を必要とする。そのような同期は、常に実施可能又は利用可能という訳ではない。
【００５８】
ＭＳ３００がＷＬＡＮ受信地域を検出し、ＷＬＡＮビーコンを受信した後、ＭＳ３００は、携帯ネットワークからＷＬＡＮへとパケットデータセッションをハンドオーバするためのある基準を用いる。この基準は、ＭＳが携帯ネットワーク内でアイドルであるか（すなわち、専用チャネルがないか）、ＷＬＡＮ信号強度が安定しているか等を含む。ＭＳ３００は、未決定のパケットデータセッションを待ち、携帯ネットワーク内で休止状態になる。その後、ＭＳ３００ｄが、パケットデータセッションハンドオーバを実行する（すなわち、ＷＬＡＮを経由してモバイルＩＰ登録を送る）。これは、サービス割込みを最小にするために有益である。同様に、ＷＬＡＮ信号強度が、具体的な時間期間にわたって、許容できる閾値より上である場合、ＭＳ３００は、パケットデータセッションハンドオーバを実行する。このように、ＭＳ３００は、ＷＬＡＮへのアクセスが持続可能であることを保証する。この手段は、チャネル品質及び／又は信号強度のいずれかの手段でありうる。閾値は前もって決定されるか、又は通信の実際の性能に基づいて動的に調節される。これは、ＭＳ３００が、動作の許容マージンにある条件又は信号強度を変化させることにより、ＷＬＡＮアクセスと携帯ネットワークアクセスとの間を切り換えるあらゆるピンポン効果を回避するのに有効である。更に、ＷＬＡＮを検出すると、ＭＳ３００は、ユーザに通知し、このユーザがマニュアルでＷＬＡＮを選択するのを待つ。
【００５９】
別の考慮は、ＭＳ３００がＷＬＡＮを経由してデータを受信し、携帯ページングを監視しながら電力消費を最小にすることである。ＭＳ３００が、パケットデータセッションのＷＬＡＮへのハンドオーバを実施した後、ＭＳ３００は、到来する回路切り換えされた音声コールを携帯ネットワークを経由して受信するのに限らず、ＷＬＡＮを経由してデータを受信する。ＭＳ３００は、携帯ページングを監視しながら、携帯スリープモードに基づいて電力を節約する。８０２．１１プロトコルは、ＭＳ３００が、到来するデータを待ちながら電力を節約する類似の方法を持っている。もしもｃｄｍａ２０００クイックページングチャネル、又はその他の類似のメカニズムがサポートされていれば、ＭＳ３００は、携帯スリープモードと８０２．１１電力節電モードとを同期させることによって、更に電力を節約する。
【００６０】
８０２．１１電力節電モードに従って、ＭＳ３００は、アソシエーション要求（ＡＲ）をＡＰ３２０に送る。ここでは、ＡＲが、ＭＳ３００が電力節電モードにあるべきであるビーコン期間の番号（例えば、Ｎ）を示す。ＡＰ３２０は、電力節電モードをイネーブルしたＭＳのリストの追跡を続ける。ＡＰ３２０は、電力節電モードにある間、ＭＳ３００に向けられたフレームをバッファする。ＡＰ３２０は、各ＭＳがＡＰ３２０にバッファされたフレームを持っているかを示すトラフィック表示マップ（ＴＩＭ：Traffic Indication Map）（図示せず）を含むビーコンを送る。ＭＳ３００は、Ｎビーコン期間毎にウェイクアップし、ビーコン、及び含まれたＴＩＭを監視する。もしもＴＩＭがＭＳ３００に対して未決定のフレームを示すのであれば、ＭＳ３００は電力節電ポールをＡＰ３２０に送る。ＡＰ３２０は、データのうちの一つのフレームをＭＳ３００に送ることによってこれに答える。このフレームは、ＭＳ３００のためにバッファされたフレームが更に存在するかを制御ビットが示す制御フィールドを含むであろう。制御ビットが設定されると、ＭＳ３００は、別の電力節電ポールをＡＰ３２０に送ることを要求される。制御ビットがクリアされると、ＭＳ３００に対する未決定のフレームはなくなる。
【００６１】
ＭＳ３００は、８０２．１１電力節電モードが携帯スリープモードと同期したとき、更なる電力節電を達成する。このようにして、ＭＳは定期的にウェイクアップし、携帯ページインジケータを監視することのみならず、両方のビーコン（及び含まれたＴＩＭ）を監視する。同期は、ＡＰ３２０のクロックを、携帯タイミングに同期させることによって達成される。ここで、携帯ページング間隔及びＷＬＡＮビーコン間隔とは、横並びになっている。例えば、ＷＬＡＮビーコン間隔が、携帯ページング間隔に等しいのであれば、ビーコンは、例えば、ｃｄｍａ２０００クイックページングチャネル上に提供されたような携帯システムにおける第一のページングインジケータと同じ時間に到着するようにスケジュールされる。各ＭＳは、ビーコン到着の直前にウェイクアップする。いくつかのＭＳは、ページングインジケータを取得するために、少し長く（例えば、ＷＬＡＮビーコン到着後４０ミリ秒）とどまらねばならない。
【００６２】
ｃｄｍａ２０００クイックページングチャネルが無いようなシステムでは、ビーコンサイクルとページングサイクルとは一般に同期しない。すなわち、ＷＬＡＮビーコンと携帯ページングスロットとの間の時間差は、各ＭＳ毎に変化する。この時間差が小さければ、ＭＳは、ビーコンとそのページングスロットとの両方を監視するために、スリープに戻る前にウェイクアップすることができる。この時間差が大きいのであれば、そのような手順は、各ＭＳがウェイクアップし、ＷＬＡＮビーコンとページングスロットとの両方を監視するためにウェイクし続けるので電力効率が良くないかもしれない。各ＭＳは、指定されたページングスロットを持っており、ＷＬＡＮビーコンとページングインジケータとの両方を受信することを要求された差分時間は、各ＭＳについて同じではないかもしれず、一般には異なっている。
【００６３】
図７は、ＭＳ３００に適用可能な処理３５０を示す。ＭＳ３００は、まず、携帯ページングインジケータのためにウェイクする（ステップ３５４）。ＭＳ３００は、このウェイクイングを、第一のページングインジケータスロットとＷＬＡＮビーコンとのための共通の時間と一致するようにスケジュールするか、幾つかの基準を用いて、いつウェイクするかを決定する。ＭＳ３００は、能動的なＷＬＡＮスキャニング又は受動的なＷＬＡＮスキャニングを実行するかを決定する（判定部３５６）。能動的なスキャンのために、ＭＳ３００は、ＷＬＡＮビーコンのための要求を送り（ステップ３５８）、その後ＷＬＡＮビーコンのためのスキャンを続ける（ステップ３６０）。このように、ＭＳ３００は、次にスケジュールされたＷＬＡＮビーコン送信を待つ限り、拡張された電力消費を回避する。受動的なスキャンのために、ＭＳは、ビーコンが検出されるまで、ＷＬＡＮビーコンをスキャンする（ステップ３６０）。
【００６４】
図８は、携帯通信とインターネットプロトコル（ＩＰ）通信との両方を含むネットワーク５００内の通信フローを説明している。インターネット５０２は、ＭＳ５０８に関連したホームエージェント（ＨＡ）５１６に接続されている。インターネットは更に、ファイルトランスファープロトコル（ＦＴＰ）サーバ５１４、アクセスルータ５１０、及びパケットデータサービスノード（ＰＤＳＮ）５０４に接続されている。アクセスルータ５１０は、無線インタフェースを経由してＡＰ５１２と通信する。アクセスルータ５１０とＡＰ５１２との間のインタフェースはＷＬＡＮインタフェースである。ここでアクセスルータ５１０と、ＡＰ５１２とは、ＷＬＡＮの一部である。ＭＳ５０８が、ＡＰ５１２と通信できるように配置されているときには、ＭＳ５０８は、ＡＰ５１２との無線インタフェースを経由してＷＬＡＮにアクセスする。携帯通信のために、ＭＳ５０８は、ＢＳ５０６と、オーバ・ザ・エアによって通信する。ＢＳ５０６は、ｃｄｍａ２０００として識別されたインタフェースを経由したＰＤＳＮ５０４との通信のために構成されている。そのようなインタフェースは、他の携帯プロトコルとの一貫性がある。無線デバイスは、それぞれのチューナが、例えばＷＬＡＮ及び携帯ネットワークのような異なるアクセス媒体との通信に適応した複数のチューナを含んでいることを留意されたい。あるいは、無線装置は、それぞれがチューナを含む別の無線装置と接続しており、その組み合わせにより、複数のチューナとなる。そのような構成では、ラップトップ（計算装置）は、携帯ハンドセットとともに動作する。ラップトップは、ＷＬＡＮカード又はビルトイン型のＷＬＡＮポートを含む一方、ハンドセットは、携帯通信をサポートする。ＷＬＡＮ情報（例えばＥＳＳＩＤ）は、ＷＬＡＮ受信地域をスキャンするためにラップトップにプロビジョンされる。
【００６５】
図９は、そのような構成の信号及びメッセージフローを示す。図示するように、ラップトップ６００は、通信のためにＭＳ６０２に接続されている。ラップトップ６００はチューナを持っている。これは、例えばＡＰ６０４を経由して、ＷＬＡＮと通信するために適用されている。ＭＳ６０２は、チューナを持っている。これは、例えばｃｄｍａ２０００ネットワークのような携帯ネットワーク６０６との通信のために適用されている。
【００６６】
図９に示す構成では、ラップトップ６００は、ＭＳ６０２を通じて携帯ネットワーク６０６とのパケットデータセッションを処理する。パケットデータセッションの間、ＭＳ６０２が携帯ネットワーク６０６からＷＬＡＮ利用可能な広告を受け取ったとき、ＭＳ６０２は、ＭＳ６０２とラップトップ６００との間で定義されたシグナリングプロトコルを経由してラップトップ６００に通知する。その通知を受け取ると、ラップトップ６００は、ＷＬＡＮ受信地域をスキャンすることを選択する。その後、ラップトップ６００は、ＷＬＡＮ信号強度に基づいてシステム選択を実行し、ＡＰ６０４からＷＬＡＮ信号を取得する。ラップトップ６００とＡＰ６０４とはその後接続を認証する。一旦認証が完成すると、ラップトップ６００は、ＭＳ６０２を通じて携帯ネットワークから切断する。その後ＭＳ６０２は、携帯ネットワーク６０６とのパケットデータセッションを切断する。この点から、パケットデータセッションは、ラップトップ６００とＡＰ６０４との間で処理される。
【００６７】
上述した例及び図９と関連して詳述するように、ラップトップ６００が、携帯ネットワーク６０６と現在、パケットデータセッションを持っているとき、ラップトップは、内在するチューナを介して強いＷＬＡＮ信号を検出する。ラップトップ６００は、ＷＬＡＮアクセスに直ちに切り換えることを選択する。ＷＬＡＮを検出すると、ラップトップ６００は、ＷＬＡＮアクセスのために認証される必要がある。ＷＬＡＮ及びｃｄｍａ２０００の単一の登録／認証のために、リムーバブル又は非リムーバブルであるハンドセットのユーザインタフェースモジュール（ＵＩＭ）（図示せず）には秘密が格納される。従って、シグナリングメッセージは、ＷＬＡＮアクセス認証を実行するためにラップトップ６００とＭＳ６０２との間で必要とされる。ＷＬＡＮアクセス認証が成功すると、ラップトップ６００は、ＷＬＡＮを経由して（すなわち、ＡＰ６０４を経由して）モバイルＩＰ登録を実行する。モバイルＩＰ登録が成功すると、ラップトップ６００は、パケットデータセッションをリリースするためにメッセージ（例えばＡＴ命令）をＭＳ６０２に送る。ＭＳ６０２は、例えばｃｄｍａ２０００におけるＳＯ  ３３のようなサービスオプション（ＳＯ）によってこのデータセッションを識別する。ラップトップ６００は、ＷＬＡＮへのパケットデータセッションのハンドオーバが完了するまで、携帯ネットワークを経由してパケットデータセッションを維持する。
【００６８】
あるいは、ラップトップは、もしもこのパケットデータセッションが、サービス割り込み（例えば、ファイルのダウンロード）を最小にできるように、転送することを未決定のデータを持っていないのであれば、ＷＬＡＮに切り換える。強いＷＬＡＮ信号を検出すると、ラップトップ６００は、データ転送のあらゆる動作を検出するために所定の時間期間（例えば数秒）待つ。もしも動作が全く検出されなければ、ラップトップ６００は、ＷＬＡＮアクセス認証を実行する。その後、ＷＬＡＮを経由してモバイルＩＰ登録がなされ、最後に、上述したようにして、携帯パケットデータサービスオプションのリリースを実行する。
【００６９】
ラップトップ６００がＷＬＡＮにアクセスしており、信号強度が、許容できる閾値の下に低下しているときは、ラップトップ６００は、ＭＳ６０２をトリガし、パケットデータサービスオプションを開始させる。このトリガは、明示的なシグナリングメッセージ（例えば、ＡＴ命令）又はモバイルＩＰ登録メッセージ等であるかもしれない。ここでは、ラップトップ６００は、携帯ネットワークを経由して送ることを望んでいる。モバイルＩＰ登録が成功すると、ラップトップ６００は、携帯ネットワークを経由してパケットデータセッションを続ける。ＷＬＡＮと携帯ネットワークとの間のピンポン効果を回避するために、例えば、特定の時間期間の間、特定の閾値よりも上にＷＬＡＮ信号があるときにのみＷＬＡＮへ切り換えるようなヒステリシスメカニズムが使用される。ラップトップは、ＷＬＡＮと携帯ネットワークとの間を、自動的に（例えば、ユーザに対して気付かれない動作で）、又はユーザによるマニュアル起動で切り換える。
【００７０】
当技術分野における熟練者であれば、これら情報および信号が、種々異なった技術や技法を用いて表されることを理解するであろう。例えば、上述した記載の全体で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００７１】
これら熟練者であれば、更に、ここで開示された実施例に関連して記載された様々な説明的論理ブロック、モジュール、回路、およびアルゴリズムステップが、電子工学ハードウェア、コンピュータソフトウェア、あるいはこれらの組み合わせとして実現されることを理解するであろう。ハードウェアとソフトウェアとの相互互換性を明確に説明するために、様々に例示された部品、ブロック、モジュール、回路、およびステップが、それらの機能に関して一般的に記述された。それら機能がハードウェアとして又はソフトウェアとして実現されているかは、特定のアプリケーション及びシステム全体に課せられている設計制約に依存する。熟練した技術者であれば、各特定のアプリケーションに応じて変更した方法で上述した機能を実施しうる。しかしながら、この適用判断は、本発明の範囲から逸脱したものと解釈されるべきではない。
【００７２】
ここで開示された実施例に関連して記述された様々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００７３】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００７４】
開示された実施例における上述の記載は、当該技術分野におけるいかなる人であっても、本発明の活用または利用を可能とするように提供される。これらの実施例への様々な変形例もまた、当該技術分野における熟練者に対しては明らかであって、ここで定義された一般的な原理は、本発明の主旨または範囲を逸脱せずに他の実施例にも適用されうる。このように、本発明は、ここで示された実施例に制限されるものではなく、ここで記載された原理と新規の特徴に一致した最も広い範囲に相当するものを意図している。
【図１】
2011061823.tif 000003
【図２Ａ】
2011061823.tif 000004
【図２Ｂ】
2011061823.tif 000005
【図３Ａ】
2011061823.tif 000006
【図３Ｂ】
2011061823.tif 000007
【図４】
2011061823.tif 000008
【図５Ａ】
2011061823.tif 000009
【図５Ｂ】
2011061823.tif 000010
【図６】
2011061823.tif 000011
【図７】
2011061823.tif 000012
【図８】
2011061823.tif 000013
【図９】
2011061823.tif 000014
【図１０Ａ】
2011061823.tif 000015
【図１０Ｂ】
2011061823.tif 000016
【図１０Ｃ】
2011061823.tif 000017
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
無線ローカルエリアネットワーク（ＷＬＡＮ）を識別する方法であって、
携帯ページングインジケータをスキャンすることと、
複数のＷＬＡＮ周波数に調節することと、
無線ローカルエリアネットワークビーコンをスキャンすることと、
オーバ・ザ・エア登録を利用して、前記無線ローカルエリアネットワークがアクセス可能であるかを判定することと、
前記無線ローカルエリアネットワークがアクセス可能であれば、前記無線ローカルエリアネットワークに登録することと
を備える方法。
【請求項２】
請求項１に記載の方法において、前記無線ローカルエリアネットワークビーコンをスキャンすることは、
無線ローカルエリアネットワークビーコンを要求することと、
無線ローカルエリアネットワークビーコンをスキャンすることと
を備える方法。
【請求項３】
請求項１に記載の方法において、前記無線ローカルエリアネットワークビーコン及び前記携帯ページングインジケータは、同期して送信される方法。
【請求項４】
請求項１に記載の方法において更に、
遠隔局が携帯ネットワークにおいてアクティブなパケットデータセッションを持っているのであれば、
前記無線ローカルエリアネットワークビーコンを検出し、
前記パケットデータセッションを待って、休止状態になり、
前記無線ローカルエリアネットワークへのパケットデータセッションハンドオーバを実行することを備える方法。
【請求項５】
請求項４に記載の方法において、パケットデータセッションハンドオーバを実行することは、
前記無線ローカルエリアネットワークビーコンの信号強度を閾値と比較することと、  前記無線ローカルエリアネットワークの信号強度が前記閾値よりも大きければ、前記無線ローカルエリアネットワークへのパケットデータセッションハンドオーバを実行することとを備える方法。
【請求項６】
請求項４に記載の方法において、パケットデータセッションハンドオーバを実行することは、
前記無線ローカルエリアネットワークを経由してモバイルインターネットプロトコル登録を実行することを備える方法。
【請求項７】
請求項１に記載の方法において更に、
遠隔局が電力節電モードにあるとき、前記遠隔局をウェイクして、携帯ページングインジケータをスキャンさせることを備える方法。
【請求項８】
請求項７に記載の方法において、前記無線ローカルエリアネットワークビーコンと前記携帯ページングインジケータとは同期している方法。
【請求項９】
請求項７に記載の方法において、前記無線ローカルエリアネットワークビーコンは第一の割り当てられた時間スロットを持っており、前記携帯ページングインジケータは第二の割り当てられた時間スロットを持っており、前記無線ローカルエリアネットワークビーコンをスキャンすることは、
前記第一及び第二の割り当てられた時間スロットの間の差に等しいタイマ期間を待つことと、
前記無線ローカルエリアネットワークビーコンをスキャンすることと
を備える方法。
【請求項１０】
請求項１に記載の方法において更に、
第一のチューナによって前記携帯ページングインジケータをスキャンすることと、
第二のチューナによって前記無線ローカルエリアネットワークビーコンをスキャンすることと
を備える方法。
【請求項１１】
請求項１に記載の方法において、前記無線ローカルエリアネットワークビーコンをスキャンすることは、
パケットデータセッションが携帯ネットワークでアクティブであれば、前記無線ローカルエリアネットワークビーコンをスキャンすることを禁止することと、
前記携帯ネットワーク内でアクティブなパケットデータセッションが無いのであれば、前記無線ローカルエリアネットワークビーコンをスキャンすることと
を備える方法。
【請求項１２】
請求項１に記載の方法において、前記無線ローカルエリアネットワークビーコンをスキャンすることは、
前記携帯ネットワークから命令を受け取って、前記無線ローカルエリアネットワークビーコンをスキャンすることと、
前記無線ローカルエリアネットワークビーコンをスキャンすることと
を備える方法。
【請求項１３】
請求項１に記載の方法において、前記無線ローカルエリアネットワークビーコンをスキャンすることは、
前記無線ローカルエリアネットワークビーコンをスキャンしている間、前記携帯ネットワークに対して、状態情報を保存するように要求することと、
前記無線ローカルエリアネットワークビーコンをスキャンすることと
を備える方法。
【請求項１４】
方法であって、
携帯ネットワークを経由してパケットデータセッションを確立することと、
複数の無線ローカルエリアネットワーク（ＷＬＡＮ）周波数に調節することと、
前記ＷＬＡＮビーコンをスキャンするための命令を受け取ることと、
オーバ・ザ・エア登録を利用して、携帯ネットワークへ、あらゆるＷＬＡＮ利用可能性を示すことと、
ＷＬＡＮ利用可能性がある場合に、前記命令に応答して前記無線ローカルエリアネットワークに登録することと、
前記携帯ネットワークからのパケットデータセッションをリリースするためにメッセージを送ることと
を備える方法。
【請求項１５】
請求項１４に記載の方法において更に、
前記無線ローカルエリアネットワークから受け取った信号の信号強度を監視することと、
前記信号強度が閾値よりも下に下がった場合には、前記携帯ネットワークとのパケットデータセッションを再確立することと
を備える方法。
【請求項１６】
無線ローカルエリアネットワークを（ＷＬＡＮ）識別する装置であって、
携帯ページングインジケータをスキャンする手段と、
複数のＷＬＡＮ周波数に調節する手段と、
無線ローカルエリアネットワークビーコンをスキャンする手段と、
オーバ・ザ・エア登録を利用して、前記無線ローカルエリアネットワークがアクセス可能かを判定する手段と、
前記無線ローカルエリアネットワークがアクセス可能であれば、前記無線ローカルエリアネットワークに登録することと
を備える装置。
【請求項１７】
装置であって、
携帯ネットワークを経由してパケットデータセッションを確立する手段と、
複数の無線ローカルエリアネットワーク（ＷＬＡＮ）周波数に調節する手段と、
命令を受け取って、前記ＷＬＡＮビーコンをスキャンする手段と、
オーバ・ザ・エア登録を利用して、携帯ネットワークへ、あらゆるＷＬＡＮ利用可能性を示す手段と、
ＷＬＡＮ利用可能性がある場合に、前記命令に応答して前記無線ローカルエリアネットワークに登録する手段と、
前記携帯ネットワークからパケットデータセッションをリリースするためにメッセージを送る手段と
を備える装置。
【外国語明細書】
2011061823000001.pdf